(57)【要約】  材料のシートを分配するためのシステム、方法、および装置が提供される。一実施形態では、シート材料分配装置が提供され、該装置は、カバーと、カバーに連結された後壁と、カバーに動作可能に連結された取り付け板と、取り付け板に連結された軸と、軸に連結された供給ローラであって、円弧状部分および少なくとも１つの切頭部分を有する、供給ローラと、軸に連結された引き込みローラであって、円弧状部分、および少なくとも１つの切頭部分を有する、引き込みローラとを備える。
2018524243.tif 000002
【特許請求の範囲】
【請求項１】
カバーと、
前記カバーに連結された後壁と、
前記カバーに動作可能に連結された取り付け板と、
軸であって、前記取り付け板に連結されている、軸と、
前記軸に連結された供給ローラであって、円弧状部分および少なくとも１つの切頭部分を有する、供給ローラと、
前記軸に連結された引き込みローラであって、円弧状部分、および少なくとも１つの切頭部分を有する、引き込みローラと、を備える、シート材料分配装置。
【請求項２】
前記カバーと前記後壁との間に配向された少なくとも１つのシート材料物品をさらに備える、請求項１に記載の装置。
【請求項３】
モータをさらに備え、前記モータは、前記軸に動作可能に連結されている、請求項１に記載の装置。
【請求項４】
前記取り付け板は、可撓性である、請求項１に記載の装置。
【請求項５】
前記引き込みローラは、３つの切頭部分を含む、請求項１に記載の装置。
【請求項６】
動作中に前記引き込みローラによって係合および係脱される支持板をさらに備え、前記引き込みローラの前記支持板からの前記係脱によって、前記供給ローラが、前記後壁に向かって並進する、請求項１に記載の装置。
【請求項７】
前記モータを作動させるように構成された容量センサをさらに備える、請求項３に記載の装置。
【請求項８】
前記供給ローラの前記円弧状部分は、ゴムコーティングを含む、請求項１に記載の装置。
【請求項９】
コードリーダをさらに備え、前記コードリーダは、ＲＦＩＤリーダおよび磁気感知システムのうちの少なくとも１つである、請求項１に記載の装置。
【請求項１０】
前記カバーと前記後壁との間に配向された少なくとも１つのシート材料物品をさらに備え、前記シート材料およびシート材料カードのうちの少なくとも１つが、ＲＦＩＤタグおよび磁気帯のうちの少なくとも１つを含む、請求項９に記載の装置。
【請求項１１】
電源をさらに備える、請求項１に記載の装置。
【請求項１２】
カバーと、
前記カバーに連結された後壁と、
前記カバーに動作可能に連結された可撓性取り付け板と、
軸であって、前記取り付け板に連結されている、軸と、
前記軸に動作可能に連結されたモータと、
前記軸に連結された供給ローラであって、円弧状部分および少なくとも１つの切頭部分を有する、供給ローラと、
前記軸に連結された引き込みローラであって、円弧状部分、および少なくとも１つの切頭部分を有する、引き込みローラと、を備える、シート材料分配装置。
【請求項１３】
前記カバーと前記後壁との間に配向された少なくとも１つのシート材料物品をさらに備える、請求項１２に記載の装置。
【請求項１４】
前記引き込みローラは、３つの切頭部分を含む、請求項１２に記載の装置。
【請求項１５】
動作中に前記引き込みローラによって係合および係脱される支持板をさらに備え、前記引き込みローラの前記支持板からの前記係脱によって、前記供給ローラが、前記後壁に向かって並進する、請求項１２に記載の装置。
【請求項１６】
前記モータを作動させるように構成された容量センサをさらに備える、請求項１２に記載の装置。
【請求項１７】
前記供給ローラの前記円弧状部分は、ゴムコーティングを含む、請求項１２に記載の装置。
【請求項１８】
コードリーダをさらに備え、前記コードリーダは、ＲＦＩＤリーダおよび磁気感知システムのうちの少なくとも１つである、請求項１２に記載の装置。
【請求項１９】
前記カバーと前記後壁との間に配向された少なくとも１つのシート材料物品をさらに備え、前記シート材料およびシート材料カードのうちの少なくとも１つが、ＲＦＩＤタグおよび磁気帯のうちの少なくとも１つを含む、請求項１８に記載の装置。
【請求項２０】
電源をさらに備える、請求項１２に記載の装置。
【請求項２１】
カバーと、
前記カバーに連結された後壁と、
前記カバーに動作可能に連結された取り付け板と、
軸であって、前記取り付け板に連結されている、軸と、
前記軸に連結された供給ローラであって、円弧状部分および少なくとも１つの切頭部分を有する、供給ローラと、
前記軸に連結された引き込みローラであって、円弧状部分、および少なくとも１つの切頭部分を有する、引き込みローラと、
動作中に前記引き込みローラによって係合および係脱された支持板であって、前記引き込みローラの前記支持板からの前記係脱によって、前記供給ローラが、前記後壁に向かって並進する、支持板と、を備える、シート材料分配装置。
【請求項２２】
前記カバーと前記後壁との間に配向された少なくとも１つのシート材料物品をさらに備える、請求項２１に記載の装置。
【請求項２３】
モータをさらに備え、前記モータは、前記軸に動作可能に連結されている、請求項２１に記載の装置。
【請求項２４】
前記取り付け板は、可撓性である、請求項２１に記載の装置。
【請求項２５】
前記引き込みローラは、３つの切頭部分を含む、請求項２１に記載の装置。
【請求項２６】
前記モータを作動させるように構成された容量センサをさらに備える、請求項２３に記載の装置。
【請求項２７】
前記供給ローラの前記円弧状部分は、ゴムコーティングを含む、請求項２１に記載の装置。
【請求項２８】
コードリーダをさらに備え、前記コードリーダは、ＲＦＩＤリーダおよび磁気感知システムのうちの少なくとも１つである、請求項２１に記載の装置。
【請求項２９】
前記カバーと前記後壁との間に配向された少なくとも１つのシート材料物品をさらに備え、前記シート材料およびシート材料カードのうちの少なくとも１つが、ＲＦＩＤタグおよび磁気帯のうちの少なくとも１つを含む、請求項２８に記載の装置。
【請求項３０】
電源をさらに備える、請求項２１に記載の装置。
【発明の詳細な説明】
【技術分野】
【０００１】
関連出願の相互参照
本出願は、２０１５年５月１２日に出願された欧州特許出願第１５００１４１４．０号からの優先権を主張するものであり、該出願は、参照によりその全てが本明細書に組み込まれる。
【背景技術】
【０００２】
例えば、紙製品を含む材料のシートを、つながれた紙製品の束から確実に分配することはしばしば難しい。例えば、材料シートの束は、１つだけのシートに適切な力を加えることによってそのシートが残りの材料シートから分離されるように、一方の端部でつながれている場合がある。このような材料のディスペンサの多くは、機械的なアームが、束の最も外側のシートに接触し、残りの束からそのシートを引き裂き得る。しかしながら、機械的なアームは多くの場合、シート材料自体の範囲に対して非常に小さな範囲でシート材料に接触する。結果として、材料シートの引張強度が高くないところで、シートが分配中に裂ける傾向がある。加えて、機械的なアームは、最も外側のシートが残りの束から引き裂かれた後に、最も外側のシートを係脱しない場合があり、シート材料をディスペンサから最終的に除去することが難しくなる。材料シートの分配のこのような例の１つとして、デバイスのユーザとデバイスとの間に衛生的なバリアを提供するために使用される薄い材料シートの使用が挙げられ、例えば、便座カバーが含まれる。
【０００３】
材料のシートを分配するための、より信頼性のあるシステム、方法、および装置が必要とされている。本出願は、このようなシステム、方法、および装置を提供することが困難な試みであり得ることを理解する。
【発明の概要】
【課題を解決するための手段】
【０００４】
一実施形態では、シート材料分配装置が提供され、該装置は、カバーと、カバーに連結された後壁と、カバーに動作可能に連結された取り付け板と、取り付け板に連結された軸と、軸に連結された供給ローラであって、円弧状部分および少なくとも１つの切頭部分を有する、供給ローラと、軸に連結された引き込みローラであって、円弧状部分、および少なくとも１つの切頭部分を有する、引き込みローラとを備える。
【０００５】
別の実施形態では、シート材料分配装置が提供され、該装置は、カバーと、カバーに連結された後壁と、カバーに動作可能に連結された可撓性取り付け板と、取り付け板に連結された軸と、軸に動作可能に連結されたモータと、軸に連結された供給ローラであって、円弧状部分および少なくとも１つの切頭部分を有する、供給ローラと、軸に連結された引き込みローラであって、円弧状部分、および少なくとも１つの切頭部分を有する、引き込みローラとを備える。
【０００６】
別の実施形態では、シート材料分配装置が提供され、該装置は、カバーと、カバーに連結された後壁と、カバーに動作可能に連結された取り付け板と、取り付け板に連結された軸と、軸に連結された供給ローラであって、円弧状部分および少なくとも１つの切頭部分を有する、供給ローラと、軸に連結された引き込みローラであって、円弧状部分、および少なくとも１つの切頭部分を有する、引き込みローラと、動作中に引き込みローラによって係合および係脱される支持板であって、引き込みローラの支持板からの係脱によって、供給ローラが、後壁に向かって並進する、支持板とを備える。
【図面の簡単な説明】
【０００７】
本明細書に組み込まれ、かつ本明細書の一部を構成する添付の図面は、種々の例示的装置、システム、および方法を例証し、種々の例示的実施形態を示すためだけに使用される。
【０００８】
【図１】分配装置１００の例示的配置の斜視図を示す。
【図２Ａ】分配装置２００の例示的配置の断面図を示す。
【図２Ｂ】分配装置２００の例示的配置の断面図を示す。
【図３】分配装置の例示的配置の立面図を示す。
【図４】多数のシート４１２を収容するシート材料カードの例示的配置の立面図を示す。
【図５Ａ】引き込みローラ５２０、シート供給ローラ５１４、およびシート材料５１２の例示的配置を示す。
【図５Ｂ】引き込みローラ５２０、シート供給ローラ５１４、およびシート材料５１２の例示的配置を示す。
【図５Ｃ】引き込みローラ５２０、シート供給ローラ５１４、およびシート材料５１２の例示的配置を示す。
【図５Ｄ】引き込みローラ５２０、シート供給ローラ５１４、およびシート材料５１２の例示的配置を示す。
【図５Ｅ】引き込みローラ５２０、シート供給ローラ５１４、およびシート材料５１２の例示的配置を示す。
【図５Ｆ】引き込みローラ５２０、シート供給ローラ５１４、およびシート材料５１２の例示的配置を示す。
【図５Ｇ】引き込みローラ５２０、シート供給ローラ５１４、およびシート材料５１２の例示的配置を示す。
【図５Ｈ】引き込みローラ５２０、シート供給ローラ５１４、およびシート材料５１２の例示的配置を示す。
【図５Ｉ】引き込みローラ５２０、シート供給ローラ５１４、およびシート材料５１２の例示的配置を示す。
【図５Ｊ】引き込みローラ５２０、シート供給ローラ５１４、およびシート材料５１２の例示的配置を示す。
【図６】引き込みローラ６２０の斜視図を示す。
【図７】引き込みローラ７２０の立面図を示す。
【図８】シート供給ローラ８１４の斜視図を示す。
【発明を実施するための形態】
【０００９】
欧州特許出願公開第ＥＰ２５２２２６５（Ａ１）号に開示されるもの等のシート材料ディスペンサは、シート材料を、シート製品のカード等のシート材料保管デバイスから進めるためにフィードローラを利用してもよい。シート材料は、有孔または限定的連結部を介して、束になってカード（ディスペンサの内部に装着されるように構成された基板を含んでもよい）に装着されてもよく、シート材料をカードから引っ張る力を加えると、シート材料が、事前設計された点で分離されるようにしてもよい。したがって、ユーザがシート材料をつかみ、かつシート材料をディスペンサから完全に取り除くことを可能にすることを含む、ユーザによるシート材料の操作を許容するように、１つだけの層のシート材料が、ディスペンサの外に進められてもよい。欧州特許出願公開第ＥＰ２５２２２６５（Ａ１）号は、参照することによりその全体が本明細書に組み込まれる。
【００１０】
一実施形態では、本明細書で開示される種々の分配装置は、例えば、薄紙の便座カバーの分配を含む、特定の目的のために使用されてもよい。便座カバーは、実質的に平坦な状態で収容および／または分配されてもよい。便座カバーは、分配装置の必要サイズを小さくするために、実質的に折り畳まれた状態で収容および／または分配されてもよい。しかしながら、本明細書で開示される種々の分配装置が、例えば、紙、ボール紙、ポリマー、金属、合金、有機材料、織物等を含む様々なシート材料のいずれかを、カード内部の保管領域から分配するために使用されてもよいことが理解される。さらに、本明細書で開示される種々の分配装置が、シート製品のカード上に収容される任意のシート材料を分配するために使用されてもよいことが理解される。
【００１１】
一実施形態では、本明細書で開示される種々の分配装置は、有孔タオルを分配するために使用されてもよい。一実施形態では、本明細書で開示される種々の分配装置は、平坦に折り畳まれたタオル、柔らかく折り畳まれたタオル、内側に折り畳まれたタオル、連続したロールタオル、および有孔ロールタオルのうちの少なくとも１つを分配するために使用されてもよい。
【００１２】
図１は、分配装置１００の例示的配置を示す。装置１００は、カバー１０２、後壁１０４、少なくとも１つの側壁１０６、および分配ポート１０８を含んでもよい。装置１００は、例えば、ポリマー、金属、合金、有機材料等を含む様々な材料のうちのいずれかから形成されてもよい。装置１００は、シート材料を保管および分配するのに必要な様々な形状のうちのいずれかを含んでもよい。
【００１３】
装置１００は、少なくとも１つのセンサ１１０を含んでもよい。少なくとも１つのセンサ１１０は、少なくとも１つのシート材料物品が分配されるように、装置１００を作動させるように構成された様々なセンサのうちのいずれかを含んでもよい。センサ１１０は、プリント基板、電源、および電力供給のうちの少なくとも１つに動作可能に連結されてもよい。
【００１４】
一実施形態では、センサ１１０は、装置１００の付近で、ユーザの手等のユーザの身体部分の存在を感知するように構成された容量センサである。容量センサは、ユーザの手が付近にあると感知したことをプリント基板（図示せず）に伝えてもよく、これによって、電気モータ（図示せず）が供給ローラ（図示せず）を回転させてもよく、これによって、１つだけのシート材料物品が装置１００から分配されてもよい。センサ１１０は、カバー１０２上ではなく、装置１００内に配向された容量センサであってもよい。つまり、センサは、カバー１０２上に存在しなくてもよいが、一実施形態では、むしろ、センサは、装置１００ｂ内に収容されてもよい。
【００１５】
別の実施形態では、センサ１１０は、赤外線センサである。センサ１１０は、受動型赤外線センサであってもよい。センサ１１０は、動きを感知することができる。センサ１１０は、装置１００の近くのユーザの動きを感知することができる。センサ１１０は、装置１００の近くで振られたユーザの手の動きを感知することができ、こうして、少なくとも１つのシート材料物品を装置１００から分配することをユーザが要求することを示す。
【００１６】
センサ１１０は、装置１００の近くで作動された光を感知するように構成された光センサを含んでもよく、装置１００の近くの光の作動によって装置１００がシート材料物品を分配するようにする。センサ１１０は、触覚センサであってもよく、ユーザがシート材料を装置１００から分配することを所望するときに、ユーザがセンサ１１０に身体的に触れるようにする。センサ１１０は、マイクロホンを含んでもよく、ユーザが引き起こした音を感知してもよく、それによって、装置１００が、ユーザがシート材料物品を所望していることを予測して、シート材料を装置１００から自動的に分配してもよい。センサ１１０は、音声認識機能を許容するように構成されたマイクロホンを含んでもよく、シート材料を装置１００から分配させるための特定の単語または用語をユーザが話してもよいようにする。センサ１１０は、装置１００の近くに存在するユーザの体温等の温度を感知してもよく、ユーザがシート材料物品を所望していることを予測してシート材料物品を分配してもよい。センサ１１０は、ユーザが所有しているタグの存在を感知するように構成されたＲＦＩＤリーダを含んでもよく、シート材料物品が特定のユーザにだけに分配されるようにする。センサ１１０は、装置１００の近くで動く、装置１００を触る、物体もしくは体の一部で装置１００をタップするなどのことをするユーザを感知するように構成された衝撃センサを含んでもよく、その後、装置１００は、シート材料物品を分配してもよい。
【００１７】
センサ１１０は、装置１００の外面と通信していてもよい。センサ１１０は、装置１００の完全に内部に収容されてもよい。
【００１８】
一実施形態では、装置１００は、センサ１１０を含まず、むしろ、シート材料物品の分配を要求するときにユーザにより作動されるスイッチを含む。スイッチは、例えば、ボタンを含む回路を閉鎖するように構成された様々なスイッチのうちのいずれかを含んでもよい。別の実施形態では、装置１００は、センサ１１０およびスイッチの両方を含む。
【００１９】
一実施形態では、装置１００は、センサ１１０の有無に関わらず、無線ネットワーク機能を含んでもよく、装置１００が、Ｂｌｕｅｔｏｏｔｈ（登録商標）接続、Ｗｉ−Ｆｉ接続、無線信号、セルラー信号等を介して遠隔で作動されてもよいようにする。
【００２０】
図２Ａおよび図２Ｂは、分配装置２００の例示的配置を示す。分配装置２００は、カバー２０２、後壁２０４、および少なくとも１つの側壁２０６を含んでもよい。分配装置２００は、センサ２１０を含んでもよい。
【００２１】
装置２００は、少なくとも１つの分配ポート２０８を含んでもよい。分配ポート２０８は、少なくとも１つの側壁２０６に配向されてもよい。分配ポート２０８は、分配ポート２０８を通過するシート材料物品２１２の通過を許容するように構成および配置されてもよい。
【００２２】
カバー２０２は、人が装置２００の内部に接近することを可能にするように選択的に取り外し可能であってもよい。カバー２０２は、ヒンジ、締め具、摩擦嵌合、摺動溝、クリップ等のうちの少なくとも１つを含む様々な機構のいずれかを介して、後壁２０４に取り外し可能に連結されてもよい。カバー２０２は、扉であってもよい。
【００２３】
後壁２０４は、壁、床、天井、別の物体、柱等の表面に連結されてもよい。後壁２０４は、表面に永久的に連結されてもよく、または表面に取り外し可能に連結されてもよい。
【００２４】
１つ以上のシート材料２１２は、装置２００内に収容されてもよい。シート材料２１２は、束になって配向されてもよい。シート材料２１２は、カード上に束になって配向されてもよく、カードは、シート材料２１２を束にして収容し、シート材料２１２を装置２００の内面に装着するための基板としての役割を果たしてもよい。シート材料２１２は、後壁２０４に装着されるか、または後壁２０４の近くに配向されてもよい。
【００２５】
装置２００は、少なくとも１つの供給ローラ２１４を含んでもよい。供給ローラ２１４は、回転するように構成されてもよい。供給ローラ２１４は、モータ（図示せず）に動作可能に連結されてもよい。供給ローラ２１４は、少なくとも１つのシート材料物品２１２と接触するように構成されてもよい。供給ローラ２１４は、回転する間、少なくとも１つのシート材料物品２１２と接触してもよく、これによって、少なくとも１つのシート材料物品２１２が分配ポート２０８を通って分配される。供給ローラ２１４は、研摩、軟性、粘着性、または高摩擦の外面を有してもよい。供給ローラ２１４は、その外面の少なくとも一部分の周囲に配向されたゴムコーティング２１６を含んでもよい。
【００２６】
供給ローラ２１４は、切頭型の円柱形状を有してもよく、供給ローラ２１４が図２Ａに示されるように配向されるときに、供給ローラ２１４がシート材料２１２に接触しないようにする。このように、供給ローラ２１４は、円弧状部分および切頭部分を有してもよい。ゴムコーティング２１６は、供給ローラ２１４の周囲全体に延在しなくてもよいが、むしろ、丸みを帯びている供給ローラの部分の周囲にだけ延在してもよい。
【００２７】
供給ローラ２１４は、回転軸２１８に動作可能に連結されてもよい。軸２１８は、モータ（図示せず）に動作可能に連結されてもよい。供給ローラ２１４は、軸２１８に直接連結されてもよい。軸２１８は、少なくとも部分的に供給ローラ２１４を通って延在してもよい。
【００２８】
装置２００は、引き込みローラ２２０を含んでもよい。引き込みローラ２２０は、円弧状部分および少なくとも１つの平坦で切頭部分を含んでもよい。一実施形態では、引き込みローラ２２０は、１つの円弧状部分、および３つの平坦で切頭部分を含む。引き込みローラ２２０は、モータ（図示せず）に動作可能に連結されてもよい。引き込みローラ２２０は、回転するように構成されてもよい。引き込みローラ２２０は、供給ローラ２１４とともに回転するように構成されてもよい。引き込みローラ２２０は、直接供給ローラ２１４とともに回転してもよく、引き込みローラ２２０および供給ローラ２１４が互いに同程度、例えば、３６０度回転するようにする。
【００２９】
引き込みローラ２２０は、回転軸２１８に動作可能に連結されてもよい。軸２１８は、モータ（図示せず）に動作可能に連結されてもよい。引き込みローラ２２０は、軸２１８に直接連結されてもよい。軸２１８は、少なくとも部分的に引き込みローラ２２０を通って延在してもよい。
【００３０】
引き込みローラ２２０は、第１の方向に向けられる円弧状部分を含んでもよく、供給ローラ２１４は、第２の方向に向けられる円弧状部分を有してもよく、第１の方向および第２の方向は、互いに反対であってもよい（互いから約１８０度）。
【００３１】
装置２００は、取り付け板２２２を含んでもよい。取り付け板２２２は、屈曲部によって分離されている１つ以上の実質的に平面部分を含んでもよい。取り付け板２２２は、カバー２０２、後壁２０４、または側壁２０６の内部に連結されてもよい。取り付け板２２２は、例えば、締め具２２４を含む様々な機構のうちのいずれかによって装置２００の内部に連結されてもよい。取り付け板２２２は、固定板２２６に連結されてもよく、固定板２２６は、例えば、カバー２０２の内面を含む、装置２００の内部に連結されてもよい。取り付け板２２２は、締め具２２４を介して固定板２２６に連結されてもよい。締め具２２４は、様々な締め具のうちのいずれかを含んでもよい。締め具２２４は、ヒンジを形成する軸を含んでもよい。取り付け板２２２は、固定板２２６にヒンジで連結されてもよい。締め具２２４は、固定軸であってもよい。
【００３２】
取り付け板２２２は、供給ローラ２１４、引き込みローラ２２０、および軸２１８のうちの少なくとも１つに動作可能に連結されてもよく、取り付け板２２２は、供給ローラ２１４、引き込みローラ２２０、および軸２１８に連結されてもよい。
【００３３】
取り付け板２２２は、少なくとも１つの支持タブ２２８を介してカバー２０２にさらに連結されてもよい。支持タブ２２８は、取り付け板２２２を支持する支柱の役割を果たしてもよい。一実施形態では、取り付け板２２２は、シート材料２１２の分配中に偏向してもよい。取り付け板２２２は、少なくとも１つの支持タブ２２８の周囲で屈曲してもよい。
【００３４】
取り付け板２２２は、電子機器ボックス２３０を含んでもよい。電子機器ボックス２３０は、装置２００の電子機器のうちの少なくともいくつかを収容してもよい。電子機器ボックス２３０は、例えば、電池またはビルを通る電気への直接接続等の電源を含んでもよい。電子機器ボックス２３０は、少なくとも１つのプリント基板も含んでもよい。電子機器ボックス２３０は、少なくとも１つのプログラム可能なコントローラチップを含んでもよい。電子機器ボックス２３０は、装置２００の動作に必要な回路および他の配線を含んでもよい。例えば、センサ２１０は、電子機器ボックス２３０と電気通信してもよい。別の例として、モータ（図示せず）は、電子機器ボックス２３０と電気通信してもよい。電源は、電池、壁のコンセントからの電気、発電機からの電気、ソーラーパネル、フォトパネル等のうちの少なくとも１つを含んでもよい。
【００３５】
一実施形態では、電子機器ボックス２３０は、プログラム可能なコントローラチップを含む。プログラム可能なコントローラチップは、モータ（図３で３４０と示される）が１片のシート材料２１２を送り出すように動作する期間の調整、光および／または音声信号を出すことによる蓄電池もしくは電池の低充電レベルの表示、適切なシート材料２１２（例えば、専用の材料）の認識、硬貨認識システムの接続、宣伝および意識を高める録音資料のストレージおよび再生のうちの少なくとも１つを可能にするようにプログラミングされてもよい。
【００３６】
一実施形態では、電源は、ディスペンサ２００内であるが、電子機器ボックス２３０の外部に位置付けられる。電源は、取り付け板２２２の近くのディスペンサ２００内であるが、電子機器ボックス２３０の外部に配向されている電池であってもよい。
【００３７】
電子機器ボックス２３０は、シート材料２１２の分配の数を計算するように構成された計数器（図示せず）を含んでもよい。電子機器ボックス２３０は、シート材料２１２の分配の数を計算し、かつディスペンサ２００のシート材料２１２がなくなったときにユーザに警告するように構成された計数器（図示せず）を含んでもよい。電子機器ボックス２３０は、シート材料２１２の分配の数を計算し、かつディスペンサ２００のシート材料２１２がほぼなくなったときおよび特定量を分配したときにユーザに警告するように構成された計数器（図示せず）を含んでもよい。例えば、ユーザは、シート材料２１２の１０％以下がディスペンサ２００に残っているときに警告されることを所望してもよい。したがって、電子機器ボックス２３０は、シート材料２１２の９０％が分配されたときにユーザに警告してもよい。
【００３８】
一実施形態では、ディスペンサ２００は、カバー２０２に開口部（図示せず）を含み、開口部によって、ユーザは、ディスペンサ２００に残っているシート材料２１２の量を視覚的に点検することが可能になる。一実施形態では、シート材料カード（図示せず）は、シート材料２１２の色とは大幅に異なる色で色付けされてもよい。ユーザは、シート材料カードの色を視覚的に点検および認識してもよく、こうして、ディスペンサ２００が空であることを知る。代替として、後壁２０４は、シート材料２１２の色とは大幅に異なる色を含んでもよい。
【００３９】
一実施形態では、ディスペンサ２００は、シート材料２１２の全てまたはシート材料２１２の特定量（例えば、９０％）の分配時に作動される光または他の信号を含む。
【００４０】
一実施形態では、電子機器ボックス２３０は、リセットボタンを含んでもよく、リセットボタンは、満杯の束のシート材料２１２がディスペンサ２００に挿入されていることを示し、その後、電子機器ボックス２３０は、分配されたシート材料２１２の数のその計数を最初からやり直してもよい。
【００４１】
付勢材料を備える取り付け板２２２は、屈曲するときに、真っ直ぐになろうとして屈曲に対する力を提供してもよい。取り付け板２２２は、ばね鋼、ポリマー、有機材料、積層材料、合金、合成物等を備えてもよい。
【００４２】
別の言い方をすると、取り付け板２２２が、供給ローラ２１４とシート材料２１２との接触により偏向されるとき、取り付け板２２２は、この偏向に対して付勢を提供してもよく、供給ローラ２１４をシート材料２１２と接触させておくために力を提供する。取り付け板２２２が、引き込みローラ２２０と、装置２００の内面に連結されている支持板２３２との間の接触により偏向されるとき、取り付け板２２２は、この偏向に対して付勢を提供してもよく、引き込みローラ２２０を支持板２３２と接触させておくために力を提供する。取り付け板２２２は、可撓性であってもよい。
【００４３】
支持板２３２は、引き込みローラ２２０を少なくとも部分的に回避してもよい。支持板２３２は、装置２００に動作可能に連結されてもよい。支持板は、カバー２０２の内面に動作可能に連結されてもよい。支持板は、カバー２０２の内面に連結されてもよい。支持板は、装置２００の任意の内面に連結されてもよい。
【００４４】
引き込みローラ２２０は、引き込みローラ２２０の回転中のある位置で支持板２３２を係合してもよい。引き込みローラ２２０は、供給ローラ２１４のシート材料２１２に対する並進を制限するために、支持板２３２を係合するように構成されてもよい。
【００４５】
図２Ｂに示されるように、分配されたシート２３４は、分配ポート２０８を通って進められてもよい。
【００４６】
ディスペンサ２００は、コードリーダ２３３を含んでもよい。コードリーダ２３３は、シート材料２１２、シート材料カード（図示せず）等のうちの１つ以上に位置付けられた専用コードを読み取るように構成されてもよい。一実施形態では、コードリーダ２３３は、シート材料２１２、シート材料カード（図示せず）等のうちの１つ以上に位置付けられた専用コードを検索する。コードリーダ２３３が、必要な専用コードを位置付けることができないとき、ディスペンサ２００は、損傷、詰まり、または非専用のシート材料２１２の分配により引き起こされる他の困難を防止するために停止させてもよい。
【００４７】
コードリーダ２３３は、ＲＦＩＤリーダであってもよく、この場合、シート材料２１２またはシート材料カード（図示せず）は、専用のＲＦＩＤタグを含む。
【００４８】
コードリーダ２３３は、磁気感知システムであってもよい。磁気感知システムのコードリーダ２３３は、シート材料２１２またはシート材料カード（図示せず）上に配向された磁気帯を感知および／または読み取ってもよい。磁気帯は、非専用のシート材料２１２の使用を防止するために、専用コードを含んでもよい。磁気帯は、シート材料２１２またはシート材料カード上に印刷されてもよい。磁気帯は、シート材料２１２またはシート材料カードに付着されてもよい。
【００４９】
コードリーダ２３３は、既存のまたは今後開発される任意のリーダを含んでもよく、専用の材料がディスペンサ２００から分配されていることを確実にするために、シート材料２１２またはシート材料カードと通信してもよい。
【００５０】
コードリーダ２３３は、バーコードリーダであってもよく、この場合、シート材料２１２またはシート材料カード（図示せず）は、専用のバーコードを含む。
【００５１】
図３は、分配装置の例示的配置を示す。装置は、固定板３２６、締め具３２４、取り付け板３２２、少なくとも１つの支持タブ３２８、電子機器ボックス３３０、支持板３３２、引き込みローラ３２０、供給ローラ３１４であって、ゴムコーティング３１６を有する供給ローラ３１４、および引き込みローラ３２０に動作可能に連結された軸３１８、および供給ローラ３１４を含んでもよい。
【００５２】
モータ３４０は、軸３１８に動作可能に連結されてもよい。モータ３４０によって、軸３１８が、回転してもよく、それによって、次に、引き込みローラ３２０および供給ローラ３１４が回転してもよい。引き込みローラ３２０が回転するとき、引き込みローラ３２０が、支持板３３２を係脱し、それによって、供給ローラ３１４がシート材料（例えば、シート材料２１２）に接触することが可能になってもよい。供給ローラ３１４が回転するとき、１つだけのシート材料物品をその束から引っ張り、シート材料が装置から進んでもよい。供給ローラ３１４が回転し続けるとき、引き込みローラ３２０は、支持板３３２を係合し、それによって、供給ローラ３１４が、シート材料の束から離れて引き込まれ、こうして、ユーザが、シート材料物品を装置から制限を受けずに引き出すことが可能になる。
【００５３】
モータ３４０は、装置内に配向された電池で駆動されている電気モータであってもよい。モータ３４０は、装置の外部の電源で駆動されている電気モータであってもよい。
【００５４】
開口部は、供給ローラ３１４のために取り付け板３２２に形成されてもよい。開口部によって、供給ローラ３１４が、供給ローラ３１４の動作中に取り付け板３２２の平面を越えて延在することが可能になってもよい。
【００５５】
一実施形態では、マイクロスイッチ３３１は、供給ローラ３１４に向かって側面で、取り付け板３２２に固定される。マイクロスイッチ作動カム３３３は、供給ローラ３１４の側面から延在してもよい。マイクロスイッチ作動カム３３３は、マイクロスイッチ３３１と接触してもよく、供給ローラ３１４が引き込み位置にある間に、モータ３４０を停止させる。マイクロスイッチ３３１は、モータ３４０の各作動時に、モータ３４０が回転を一回（約３６０度）だけ達成することを確実にしてもよい。
【００５６】
図４は、多数のシート４１２を収容するシート材料カードの例示的配置を示す。シート材料カードは、互いに積み重なった複数のシート４１２を含んでもよい。シート４１２は、折り畳まれてもよく、ディスペンサ装置が折り畳まれたシートを分配し、ユーザが、使用前にシートを広げるようにする。シート４１２は、折り畳まれてなくてもよい。シート４１２は、基板４４４に直接取り付けられてもよい。基板４４４は、分配装置の少なくとも一部分（例えば、図２Ａおよび図２Ｂに示される後壁２０４）を係合するように構成された少なくとも１つのシート取り付け開口部４４６を含んでもよい。
【００５７】
一実施形態では、シート４１２は、供給ローラから力を加えられると破れるように構成された有孔連結部を介して基板４４４に連結される。別の実施形態では、シート４１２は、供給ローラから力を加えられると破れるように構成された限定的連結部を介して基板４４４に連結される。このように、シート４１２は、シート４１２をその本体の中で引き裂かずに、基板４４４から取り除かれてもよい。シート４１２は、ステープルを介して基板４４４に連結されてもよく、ステープルによって、シート４１２が基板４４４から容易に引き離されることを許容してもよい。シート４１２は、接着剤またはのりを介して基板４４４に連結されてもよく、接着剤またはのりによって、シート４１２が基板４４４から容易に引き離されることを許容してもよい。
【００５８】
シート材料カードは、コード化要素４４７を含んでもよい。コード化要素４４７は、基板４４４上に配向されてもよい。コード化要素４４７は、シート４１２上に配向されてもよい。コード化要素４４７は、専用のＲＦＩＤタグを含んでもよい。コード化要素４４７は、専用のバーコードを含んでもよい。
【００５９】
図５Ａ〜図５Ｊは、引き込みローラ５２０、シート供給ローラ５１４、およびシート材料５１２の例示的配置を示す。供給ローラ５１４は、ゴムコーティング５１６を含んでもよい。供給ローラ５１４および引き込みローラ５２０は、軸５１８に連結されてもよい。
【００６０】
引き込みローラは、支持板５３２を係合してもよい。支持板５３２の説明図が引き込みローラ５２０および供給ローラ５１４の図を妨げることを回避するために、支持板５３２は、図５Ａ〜図５Ｊにおいて簡単に示される。しかしながら、図５Ａ〜図５Ｊに示される支持板５３２の部分が、分配装置の動作中に引き込みローラ５２０が係合する支持板５３２の部分だけであってもよいことを理解されたい。
【００６１】
シート材料５１２は、束になって配向されてもよい。シート材料５１２は、基板５４４に装着されてもよい。シート材料５１２は、供給ローラ５１４により１つだけのシート５１２に力が加えられると破れる、裂ける、または切断されるように構成された限定的連結部５４８を介して基板５４４に連結されてもよい。
【００６２】
図５Ａに示されるように、供給ローラ５１４の円弧状部分は、シート材料物品５１２の分配の間にシート材料５１２から離れて配向される。引き込みローラ５２０の円弧状部分は、シート材料物品５１２の分配の間にシート材料５１２に向かって配向される。
【００６３】
分配動作の開始時に、供給ローラ５１４および引き込みローラ５２０は、時計回りに回転する（図５Ｂ参照）。図５Ｃ〜図５Ｇは、分配されるシート５３４に接触し、かつそれを分配する供給ローラ５１４を示し、一方、引き込みローラ５２０は、その円弧状部分が支持板５３２と接触しないように回転する。引き込みローラ５２０が支持板５３２と接触せずに回転することによって、供給ローラ５１４が、取り付け板（図２Ａおよび図２Ｂにおいて２２２）の付勢により、並進してシート材料５１２と接触することが許容される。
【００６４】
図５Ｈは、再び支持板５３２に接触する引き込みローラ５２０の円弧状部分を示し、供給ローラ５１４（および取り付け板２２２）がシート材料５１２から離れて動く。図示するように、引き込みローラ５２０の円弧状部分が支持板５３２と接触すると、供給ローラ５１４は、シート材料５１２との接触から取り除かれる。
【００６５】
図５Ｉおよび図５Ｊは、シート材料５１２から離れて動かされる供給ローラ５１４（および取り付け板２２２）を示す。結果として、ユーザは、分配機構（引き込みローラ５２０、供給ローラ５１４、および取り付け板２２２）の任意の部分を係合する、それに引っかかる、または接触する分配されたシート５３４の任意の部分を含まずに、分配されたシート５３４を装置から引き出すことができる。このように、ユーザは、分配されたシート５３４を引き裂かずに取り除くことができる。このように、引き込みローラ５２０および供給ローラ５１４の使用によって、本明細書に記載のように、分配装置の信頼性に驚くべき結果が提供されたため、ディスペンサは、詰まる可能性が低い。
【００６６】
図示するように、１つだけのシート材料５１２の分配中、供給ローラ５１４および引き込みローラ５２０は、約３６０度回転してもよい。別の実施形態では、１つだけのシート材料５１２の分配中、供給ローラ５１４および引き込みローラ５２０は、約３６０度を超えて回転してもよい。別の実施形態では、１つだけのシート材料５１２の分配中、供給ローラ５１４および引き込みローラ５２０は、約３６０度未満回転してもよい。
【００６７】
図６は、引き込みローラ６２０を示す。引き込みローラ６２０は、円弧状部分６５１および少なくとも１つの切頭部分６５２、６５４を含んでもよい。一実施形態では、引き込みローラ６２０は、２つの側部切頭部分６５２と、１つの後部切頭部分６５４とを含み、後部切頭部分６５４は、円弧状部分６５１と対向し、側部切頭部分６５２は、後部切頭部分６５４と円弧状部分６５１との間に配向されている。引き込みローラ６２０は、軸２１８、３１８、５１８等の軸を受け入れるように構成された軸開口部６５６を含んでもよい。
【００６８】
図７は、引き込みローラ７２０を示す。図示するように、引き込みローラ７２０は、半径Ｒ１を有する円弧状部分を含んでもよい。引き込みローラ７２０は、半径Ｒ２を有する側部切頭部分を含んでもよい。引き込みローラ７２０は、半径Ｒ３を有する後部コーナー部分を含んでもよい。引き込みローラ７２０は、半径Ｒ４を有する後部切頭部分を含んでもよい。Ｒ１の値は、Ｒ２、Ｒ３、およびＲ４の値よりも大きくてもよい。Ｒ３は、Ｒ２およびＲ４よりも大きいがＲ１よりも小さくてもよい。Ｒ２は、Ｒ４とほぼ同等であってもよい。
【００６９】
引き込みローラ７２０は、等脚台形型の断面を有してもよいが、等脚台形のより長い底部が曲線状の円弧状部分（例えば、６５１）を有することを例外とする。
【００７０】
図８は、シート供給ローラ８１４を示す。供給ローラ８１４は、その円弧状部分を被覆するゴムコーティング８１６を含んでもよい。供給ローラ８１４は、切頭部分８６２を含んでもよい。供給ローラ８１４は、軸２１８、３１８、５１８等の軸を受け入れるように構成された軸開口部８６０を含んでもよい。供給ローラ８１４の円弧状部分は、半径Ｒ１を有してもよい。切頭部分８６２は、半径Ｒ２を有してもよい。半径Ｒ１の値は、Ｒ２の値よりも大きくてもよい。
【００７１】
一実施形態では、供給ローラ８１４は、約７０％が完全な円柱で、３０％が切頭型の円柱を形成するために取り除かれる。
【００７２】
用語の「含む」または「含んでいる」が本明細書または請求項で使用される範囲において、その用語が、請求項における移行語として用いられる場合に解釈されるように、用語の「備える」と同様に包含的であるように意図される。さらに、用語の「または」が用いられる範囲において（例えば、ＡまたはＢ）、「ＡまたはＢまたは両方」を意味するように意図される。出願人が、「ＡまたはＢのみであるが、両方ではない」ことを示すように意図する場合、用語の「ＡまたはＢのみであるが、両方ではない」が用いられる。
したがって、本明細書における用語の「または」の使用は、包含的使用であるが、排他的使用ではない。Ｂｒｙａｎ  Ａ．  Ｇａｍｅｒ，Ａ  Ｄｉｃｔｉｏｎａｒｙ  ｏｆ  Ｍｏｄｅｍ  Ｌｅｇａｌ  Ｕｓａｇｅ  ６２４（２ｄ．Ｅｄ．１９９５）を参照すること。また、用語「〜に」または「〜へ」が本明細書または請求項で使用される範囲において、「〜の上に」または「〜の上へ」をさらに意味するように意図される。用語「選択的に」が本明細書または請求項で使用される範囲において、装置のユーザが装置の使用に必要であるまたは所望される構成要素の特徴または機能を作動または停止させてもよいという構成要素の条件を指すように意図される。用語の「動作可能に連結される」が本明細書または請求項で使用される範囲において、特定の構成要素が設定の機能を実行するように連結されることを意味するように意図される。用語の「実質的に」が本明細書または請求項で使用される範囲において、特定の構成要素が、主題の産業で許容範囲程度の誤差で示される関係または品質を有することを意味するように意図される。本明細書および請求項で使用される、単数形の「ある」および「その」は、複数を含む。最後に、用語の「約」が、数字と併用して使用される場合、その数字の±１０％を含むように意図される。つまり、「約１０」は、９から１１を意味してもよい。
【００７３】
上述のように、本出願は、その実施形態の説明によって示され、かつ、実施形態は、かなり詳細に説明されているが、添付の請求項の範囲をそのような詳細に制限または任意の方式で限定することを、出願者は意図しない。追加の利点および修正は、出願の利益を有する当業者に容易に明らかである。ゆえに、本出願は、そのより広い側面において、特定の詳細、図示された説明例、または言及された任意の装置に限定されない。逸脱は、一般的な発明概念の趣旨または範囲を逸脱せずに、このような詳細、例、および装置から加えられてもよい。
【図１】
2018524243.tif 000003
【図２Ａ】
2018524243.tif 000004
【図２Ｂ】
2018524243.tif 000005
【図３】
2018524243.tif 000006
【図４】
2018524243.tif 000007
【図５Ａ】
2018524243.tif 000008
【図５Ｂ】
2018524243.tif 000009
【図５Ｃ】
2018524243.tif 000010
【図５Ｄ】
2018524243.tif 000011
【図５Ｅ】
2018524243.tif 000012
【図５Ｆ】
2018524243.tif 000013
【図５Ｇ】
2018524243.tif 000014
【図５Ｈ】
2018524243.tif 000015
【図５Ｉ】
2018524243.tif 000016
【図５Ｊ】
2018524243.tif 000017
【図６】
2018524243.tif 000018
【図７】
2018524243.tif 000019
【図８】
2018524243.tif 000020
【国際調査報告】
2018524243.tif 000021